(57)【要約】  ヒンジ付きドア（２６）がテント（２０）に備えられる。一実施形態のヒンジ付きテントドア（２６）は、ドアの外周縁を支持するためのフレーム（４６）を有する。ヒンジ付きテントドア（２６）は、着脱自在なフレーム（４６）を有し、収納時にテントと共にコンパクトに畳むことができる。たとえば、フレーム（４６）は、ドアに対して着脱自在に取り付けられる一つ以上のポール（４８、５０）を有する。【選択図】図１
2009515068.tif 000002
【特許請求の範囲】
【請求項１】
テントまたはシェルタを自立させるためのテントフレームと、
該テントフレームに支持された少なくとも一つのウォールと、
該少なくとも一つのウォールに設けられた、ドア用または窓用の開口と、
該開口を閉じるためのパネルと、
該パネルの周縁を支持するためのパネルフレームと、
前記パネルが前記フレームに支持された状態で前記パネルを前記開口から離間接近する方向に回転させることを可能とするヒンジ構造と、
を備える、テントまたはシェルタ。
【請求項２】
前記パネルフレームはエアフレームからなる、請求項１に記載のテントまたはシェルタ。
【請求項３】
前記パネルは、その周縁に沿って延在するスリーブを備え、前記パネルフレームは、前記スリーブに着脱可能に挿入されたポールを備える、請求項１に記載のテントまたはシェルタ。
【請求項４】
前記ポールは、ショックコード付きポール、分割ポール、および単一ポールのうち、少なくともいずれか一つからなる、請求項３に記載のテントまたはシェルタ。
【請求項５】
前記開口は、ドア開口と窓開口のうち少なくとも一つである、請求項１に記載のテントまたはシェルタ。
【請求項６】
前記パネルは、前記開口の一側部でヒンジにより取り付けられている、請求項５に記載のテントまたはシェルタ。
【請求項７】
前記一側部は、構造上の支持を備える、請求項６に記載のテントまたはシェルタ。
【請求項８】
前記構造上の支持は、前記一側部に沿って延在するポールからなる、請求項７に記載のテントまたはシェルタ。
【請求項９】
前記ヒンジ構造は、前記ポールに回転自在に取り付けられた部品を少なくとも一つ備える、請求項８に記載のテントまたはシェルタ。
【請求項１０】
前記パネルフレームは、前記パネルの周囲に延在するフレームを備えるとともに前記ポールを有し、前記ポールは、前記一側部に位置するスリーブ中に保持され、さらに、前記ヒンジ構造は、前記ポールが前記スリーブ中で回転することからなる、請求項８に記載のテントまたはシェルタ。
【請求項１１】
前記ポールは、前記一側部の両端に位置する二つのポケットに対して、着脱自在に接続されている、請求項８に記載のテントまたはシェルタ。
【請求項１２】
前記ヒンジ構造は、前記ポールの両端部に位置する二つのヒンジを備え、該各ヒンジは、前記ポケット中に着座するためのポスト部と、前記ポールに対して相対的に回転するとともに前記パネルフレームに接続するための回転部とを備える、請求項１１に記載のテントまたはシェルタ。
【請求項１３】
前記ヒンジ構造は、前記ポールの両端部に位置する二つのヒンジを備え、該各ヒンジは、前記ポールに接続するための第１のコネクタと、前記パネルフレームに接続する第２のコネクタと、前記第１および第２のコネクタ間に位置するリビングヒンジとを備える、請求項８に記載のテントまたはシェルタ。
【請求項１４】
前記ヒンジ構造は、前記ポールの両端部に位置する二つのヒンジを備え、該各ヒンジは、前記ウォールに取り付けられたリングを備え、前記フレームは、前記二つのヒンジの一方のリングに取り付けるための、第１のフックと、前記二つのヒンジの他方のリングに取り付けるための第２のフックとを備え、前記各フックは、前記リングの周りを回転することができるように構成されている、請求項８に記載のテントまたはシェルタ。
【請求項１５】
前記ポールは、各端部にピンを有し、該ピンは、前記ウォールに取り付けられたウェビングのグロメット中に延在する、請求項８に記載のテントまたはシェルタ。
【請求項１６】
前記パネルフレームは、前記ポールに対してクリップにより接続されている、請求項１５に記載のテントまたはシェルタ。
【請求項１７】
前記一側部は開口の上部に沿って位置している、請求項６に記載のテントまたはシェルタ。
【請求項１８】
前記パネルを、垂直方向よりも水平方向に近い姿勢に支持する構造をさらに備える、請求項１７に記載のテントまたはシェルタ。
【請求項１９】
前記構造は、ストラップを備える、請求項１８に記載のテントまたはシェルタ。
【請求項２０】
前記ヒンジ構造は、前記パネルフレームの各側部に位置する二つのヒンジを備え、該各ヒンジは、前記パネルフレームに接続するためのコネクタと、ポケット内部に収められる部分とを有し、該部分は、前記パネルが回転する際に前記ポケット中で回転するようになっている、請求項１に記載のテントまたはシェルタ。
【請求項２１】
前記開口を支持する出入り口フレームをさらに備える、請求項１に記載のテントまたはシェルタ。
【請求項２２】
前記出入り口フレームはエアフレームからなる、請求項２１に記載のテントまたはシェルタ。
【請求項２３】
前記開口は、その周縁に沿って延在するスリーブを備え、前記出入り口フレームは、前記スリーブに着脱自在に挿入されたポールを備える、請求項２２に記載のテントまたはシェルタ。
【請求項２４】
前記ポールは、ショックコード付きポール、分割ポール、および一本のポールのうち、少なくともいずれか一つからなる、請求項２３に記載のテントまたはシェルタ。
【請求項２５】
前記ヒンジ構造は、前記パネルフレームの両側部に設けられた二つのヒンジを備え、各ヒンジは、前記パネルフレームに接続するための第１のコネクタと、前記出入り口フレームに接続するための第２のコネクタとを備える、請求項２１に記載のテントまたはシェルタ。
【請求項２６】
前記各ヒンジの前記第１のコネクタは、同前記第２のコネクタに対して回転自在に接続されている、請求項２５に記載のテントまたはシェルタ。
【請求項２７】
前記ウォールに取り付けられたポケット中に着座するための部分を各ヒンジに備え、該部分は、前記パネルが回転する際に、前記ポケット中で回転するようになっている、請求項２６に記載のテントまたはシェルタ。
【請求項２８】
前記ヒンジ構造は、前記テントフレームに直接接続されている、請求項１に記載のテントまたはシェルタ。
【発明の詳細な説明】
【関連出願の相互参照】
【０００１】
本出願は、２００５年１１月３日出願の米国特許仮出願番号第６０／７３３３０３号に基づく優先権を主張するものであり、当該出願は参照することにより本明細書中に組み込まれる。
【技術分野】
【０００２】
本発明は、テント、特にテントの構造に関する。
【背景技術】
【０００３】
テントは、軽量で、かつ、多くの場合、防水性で、布地により作製された、携帯可能な構造を有している。一般的に、テントは、ポリエステル、その他の材料製の折畳み可能なシェルタからなり、該シェルタが、一つ以上のポールなどからなるフレームを覆うとともに、このフレームにより支持されるようになっている。テントは、野外でのキャンプ、または一時的な構造物として使用される。テントには、ドームテント、キャビン式テントなど、種々の形状がある。
【発明の開示】
【発明の概要】
【０００４】
以下、本発明の基礎的な理解を図るため、本発明の実施形態の概略を示す。この概略は、本発明の全体を概観するものではない。本発明に必須の要素を特定したり、本発明の範囲を定めたりする意図を有するものではない。その唯一の目的は、後述するより詳細な説明への導入として、本発明の実施形態を簡潔に示すことである。
【０００５】
一実施形態においては、ヒンジ付きドアがテントに備えられる。一実施形態に係るヒンジ付きテントドアは、ドアの外縁を支持するフレームを有する。これにより、ドアは構造体として支持され、テントに対してヒンジにより取り付けられるので、家の戸口と同様となる。
【０００６】
一実施形態においては、ヒンジ付きテントドアは、着脱自在のフレームを備えるため、テントと共に折畳み、保管や移動のためにコンパクトな構成とすることができる。たとえば、フレームは、ドアに対して着脱自在に取り付けられる一つ以上のポールからなる。
【０００７】
代替的に、フレームをエアフレームとしてもよい。この場合、保管のためにフレームを取り外すのではなく、収縮させる。さらに他の実施形態では、テントと共に折畳むのに十分柔軟であるが、使用時にドアを支持するために十分な構造強度を有するフレームが採用される。
【０００８】
テントとドアに取り付けられ、ドアをテントの外側に開くようにする、機械的ヒンジ構造とすることができる。代替的に、テントの布地がヒンジとして機能するようにしてもよい。代替的に、リビングヒンジとして機能する、プラスチックのヒンジを使用してもよい。他の実施形態として、ヒンジを使用せず、たとえば、ドアに設けたポールをテントのスリーブ内に保持することで、テントに対して相対的に回転するドアを取り付けてもよい。逆に、テントに取り付けられたポールに対して、相対回転するドアを取り付けてもよい。
【０００９】
一実施形態において、ドアが覆う開口、たとえば出入口は、フレームにより支持されてもよい。この出入口フレームは、ヒンジ付きドアと、テントの出入口の両方のアタッチメントを支持することができる。出入口に取り付けられたドアを支持するために、ポール、ヒンジ、その他の構造を設けてもよい。
【００１０】
一実施形態において、ドアは、フレームを有するスクリーンドアからなる。スクリーンを覆うために、スクリーン外側にフラップを取り付けてもよい。フラップは、たとえばジッパにより取り付けることができる。
【００１１】
本発明のその他の特徴については、図面とともに、以下に記す詳細な説明により明らかにされる。
【発明を実施するための最良の形態】
【００１２】
以下、本発明の種々の実施形態について説明する。説明のために、特定の構成および細部について記述し、実施形態の完全な理解を図る。しかしながら、かかる細部の説明がなくても、当業者が本発明を実施できることは明らかである。また、実施形態の記載を不明瞭にしないために、周知の特徴については省略または簡略化する場合がある。
【００１３】
図面を参照して説明するが、各図を通して、同様の構成については同一の符号を用いる。図１に、一実施形態に係るテント２０を示す。図示のテント２０は、ドーム型テントであるが、本発明の特徴は、ドーム型、その他の自立型テント、キャビン型、その他の形態に関わらず、種々の異なる形態のテントに対して適用される。すなわち、本明細書中においてテント２０およびその他のタイプのテントに関して説明しているが、本発明は、多くの異なるテント構造に対しても適用される。さらに、本発明は、シェルタなど、テント以外の布製構造物に対しても適用される。しかしながら、特に、本発明は自立型テントに関連する。ここで「自立型」とは、支持ロープや杭なしで組み立てることができ、自らを支えるものをいう。一例はドームテントである。繰返すと、自立型テントに特に関連するものであるが、本発明の態様は他の形式のテントに使用できる。
【００１４】
テント２０は、ウォール２２と、ウォールとテントを公知の手段により支持するポール２４とを有する。実施形態における「ウォール」とは、一般的にテント上部を覆うテントの一部を含む。一実施形態においては、テント２０、たとえばテントのウォール２２の一つに、ヒンジにより取り付けられた新規なドア２６が備えられる。ヒンジ付きドア２６は、家のドアと同じように開いて使用することができる。図１の実施形態では、ヒンジ付きドア２６を備えるが、本発明は、ヒンジ付き窓にも適用される。
【００１５】
図１の実施形態では、ヒンジ付きドア２６の出入口周囲に構造物が設けられている。この構造物は、出入口を支持し、出入口を比較的に剛構造として潰れないようにしている。これにより、ドアを出入口にぴったりと嵌めることができる。しかしながら、出入口に対して補強構造は必須ではない。ここで、「出入口」とは、ドアにより閉じられまたは覆われる開口であり、本明細書中の実施形態は、ドアのみならず窓に対しても適用されるため、「出入口」には、窓の開口も含まれる。
【００１６】
一実施形態において、出入口の構造物には、Ｃ字形ポール３４が含まれる。Ｃ字形ポール３４は、フレーム上部スリーブ２８と、フレーム下部スリーブ３０と、および出入口の側縁に沿って延在するフレーム着脱スリーブ３２に収容される。フレーム着脱スリーブ３２は、たとえばＣ字形ポール３４に対して、フックループファスナ、ジッパ、その他の着脱自在のコネクタにより取り付け可能となっている。Ｃ字形ポール３４として、たとえば分割ポール、特に、ショックコード付きポールがあげられるが、単一のポールをＣ字形に曲げたものであってもよい。
【００１７】
図１および図２に示す実施形態では、ドア２６の支持にも、同様の構造が設けられている。図示の実施形態では、ドア上部スリーブ４０、ドア下部スリーブ４２、およびドア着脱スリーブ４４が、ドア２６の外周縁に沿って配置される。これらスリーブ４０、４２、４４は、もう一つのＣ字形ポール４６を収容する。図２に示すように、このＣ字形ポール４６は、たとえば一対の直角ベンド４８とこれらベンド間に延在するショックコード付きポール５０を備える。
【００１８】
図示の実施形態では、ドア２６は、上部にスクリーン付き窓５２を有する。スクリーン付き窓５２は、スクリーン付き窓５２を覆って風雨からテント２０の内部を守るフラップ５４を有する。使用者がスクリーン付き窓５２を開けたいときには、フラップ５４を下に巻き取って、紐で結ぶ、その他の公知の手段により固定する。代替的に、ドア２６の長手方向全体がスクリーンとして機能するように、スクリーン付き窓５２およびフラップ５４が入口全体にわたるようにしてもよい。
【００１９】
図１および図２に示す実施形態では、ドア２６は、ノブ５６を有する。このノブ５６に、このノブを回したときにドア開口の外側部位に設けられた任意の構造に対して係合する、適当なラッチを備えてもよい。また、ドア２６の外周縁で、スリーブ２８、３０、３２のすぐ内側に、ジッパ５８が取り付けられている。必要に応じて、たとえば、フックループファスナ、ループトグルファスナ、ロープ、磁石、クリップ、留め金、その他の適切な着脱可能なコネクタなどの、ドアを出入り口に対して保持できる構造を備えてもよい。
【００２０】
テントには、テント２０のウォール２２が底部から頂部にかけて内傾しているものがある。一実施形態では、このような傾いたウォールがテント２０に備えられている。この場合、ドア２６はそれ自体が閉位置に向かうようになる。よって、ドア２６を所定位置に保持するためにファスナは必須ではないが、風のある環境下においてドアを閉めておくためには便利である。
【００２１】
図３にドア２６のヒンジ６０を示す。このようなヒンジを二つ、ドア２６の上下に一つずつ使用する。図示のヒンジ６０は、互いに相対的に回転する二つのポスト６２、６４を含んでいる。たとえば、ポスト６２、６４のうち一方がシリンダ６６に取り付けられ、他方のポスト６４がシリンダ６６に回転自在に取り付けられる。ポール４６および３４の端部が、ポスト６２、６４に対して、たとえばポストの上に嵌められることにより取り付けられる。
【００２２】
ヒンジ６０により、ドア２６とフレームポール３４とが接続され、これによりドア２６が支持される。補助的な支持を設けてもよい。たとえば、ヒンジを直接テント２０に取り付けてもよい。
【００２３】
図４に、他の実施形態に係るテント１００を示す。テント１００も同様に自立型テントであり、ヒンジ付きドア１０２を有する。図４に示す実施形態では、ドア１０２とドア１０２のための出入口の両方が支持されている。出入口に対しては、ドアが取り付けられる側部を除くその周囲にフレームスリーブ１０４が延在する。フレームスリーブ１０４には、フレームポール１０６（図５にその端部を示す）が嵌め入れられている。フレームポール１０６は、たとえば、フレームスリーブ１０４内に恒久的に配置されるポール、または、フレームスリーブ１０４の中に曲げて嵌め入れられる、単一の柔軟なポールからなる。柔軟なポールの場合、使用者は、フレームポール１０６をスリーブの一端に挿入し、ポールの一端がスリーブの他端に到達するまでスリーブ内をくぐらせて通す。代替的に、ポール１０６は、分割ポール、またはショックコード付きポールとしてもよく、スリーブをそのようなショックコード付きポールを着脱自在に収容できるように設計してもよい。
【００２４】
ドア１０２は、同様のドアスリーブ１０８とドアポール１１０を有する。ドアポール１１０は、フレームポール１０６について説明したものと同様の手段、または異なる技術または構造を用いてドアスリーブ１０８内に保持される。
【００２５】
図５に、ドア１０２のヒンジ１１２を示す。一実施形態では、ヒンジ１１２は、ドア１０２の上部と下部にそれぞれ配置される。ヒンジ１１２は、テント１００のポケット１１４、１１６に取り付けられる。図３のヒンジ６０と同様に、ヒンジ１１２は、フレームポール１０６とドアポール１１０の一端をそれぞれ受け入れる、回転自在な一対のポスト１１８、１２０を有する。これら回転自在のポスト１１８、１２０は、シリンダ１２２に取り付けられ、その上で回転できる。または、一方のポスト１２０がシリンダ１２２の周りを回転するようにして、他方のポスト１１８をシリンダにこていするようにしてもよい。図示の実施形態では、シリンダ１２２の両端が、それぞれポケット１１４、１１６に嵌り、ヒンジ１１２を所定の位置に保持する。これにより、ドア１０２がヒンジ１１２によって支持される。
【００２６】
図６に、図４のドア１０２と同様のドア２０２を有するテント２００の代替例を示す。ドア２０２は、ドア用のポール２１０と、ポールを受け入れるスリーブ２０８とを有する。同様のポールとスリーブが、ドア２０２の開口周囲に設けられている。しかしながら、図６の実施形態では、ヒンジ２１２（図７）は、出入口の支持構造（すなわちポール）に対してではなく、テントの布地に取り付けられている。このヒンジ２１２は、図５に示すポケット１１４、１１６と同様のポケット２１４、２１６中に取り付けられる。一方のポスト２１８が、シリンダ２２２に取り付けられている。ポスト２１８は、ドアポール１１０に取り付けられ、ドアポール１１０およびドア２０２は、ヒンジによって支持されている間、ヒンジ２１２の周囲を自在に回転することができる。
【００２７】
図８に、ドア３０２を有するテント３００の他の実施形態を示す。図８に示す実施形態では、ドア３０２は、テントの縁に対して配置され、テントのコーナー縁に沿って伸長してテントを支持するポール３０４の一つによって支持される。ドア３０２の出入口は、ポールカバー３０８に差し込まれているフレームポール３０６により支持される。このポール３０６には、ショックコード付きポールのような柔軟なポールを用いて、上記のように曲げることによりポールカバー３０８内を伸長する。フレームポール３０６の両端を受けるため、ポケット３１０がポールカバー３０８の両端に設けられる。同様のポールカバー３１２およびポール３１４が、ドア３０２に設けられる。ドア３０２を閉じるためには、ジッパ３１６が使用される。ドアを開口に一時的に固定するために、フックループファスナ３１８、その他の適切なアタッチメント構造を使用する。図示の実施形態では、ドアを閉じる際にドアがテント３００内に入り込むことを防止するストップ３２０として、ドア３０２の開口周縁の内側に、ナイロン、その他の適切な布地が用いられる。このドアストップ３２０により、ドア３０２の防水性能が向上される。
【００２８】
図９に、代替の実施形態として、図８のドア３０２と幾つかの点で類似するドア４０２を有するテント４００を示す。ドア４０２およびドアの出入口は、同様に、ドアポール４１４とフレームポール４０６により支持されている。しかしながら、ドア４０２は、テントの中央寄りに位置し、ドアサポートポール４０５がテントポール４０４から下方に延在してドアの自重を支えている。ドアサポートポール４０５は、ドア４０２とドア用の開口との接合位置にて、ポールカバー４０７内を伸長する。
【００２９】
図８のテント３００とは異なり、図９に示すように、ドアポール４１４およびフレームポール４０６の端部は、ドアサポートポール４０５に回転自在に設置された２つのヒンジ内まで伸長する。この回転自在な取付け機構については、前述したヒンジと同様である。
【００３０】
図１０に、さらに他の実施形態のテント５００を示す。テント５００は、下端から外側に向けて開いて、図１１に示すように日よけとして固定可能なドア５０２を有する。図１０に示す実施形態では、ドア５０２は、ドア用の出入口の上部に対して布製のヒンジ５０４により接続されている。ドアポール５０６が、スリーブ５０８、５１０、５１２の中に、たとえば図１の実施形態と同様の手段により延在している。たとえば、下部スリーブ５１２を着脱自在としている。
【００３１】
ドア５０２は、下部にグロメット５１４を有し、このグロメット５１４はドア５０２が開位置にある場合に、ストラップ５１６に取り付けられる。これにより、ドアは日よけ状の状態で外側に支持される。
【００３２】
図１０および図１１に示す実施形態では、ドア５０２の入口用フレームは、上記と同様の手段によりポール５１８により支持される。ポール５１８は、たとえば３個のスリーブ５２０、５２２、５２４により開口に取り付けられている。
【００３３】
図１２に、一実施形態に係るテントのドアまたは窓に使用可能なヒンジ６００を示す。ヒンジ６００は、ポール６０２により取り付けられている。ポールは、たとえば窓または出入口の縁に沿って延在する。各ヒンジ６００は、ポスト部６０３と回転部６０４とを備える。回転部６０４は、たとえばポール６０２上で回転するように配設される。ポール６０５が、回転部６０４から外方に延在する。
【００３４】
ポスト部６０３は、各々Ｌ字ブラケットを有する。したがって、二つのポスト部６０３およびポール６０２が接続されると、ポスト６０６が、各ポスト部から外側に向けて延在する構造が形成される。これらポスト６０６は、たとえばテントの側面のポケットに挿入される。好ましくは、ポケットは、テントのテンションがかかる領域に配置されることにより、出入口用のフレームの一方側に対する構造体となる。
【００３５】
ヒンジ６００により支持されるドアは、フレームを有する。図示の実施形態では、フレームは、ドアの外側周縁を支持するポール６０５からなる。ポールは、ドアの周縁が支持されるように、単一のＵ字形ポール、または、一つ以上の他のポールに接続されるようになっているポールからなる。
【００３６】
ヒンジ６００により、テントに素早く取り付けることができる構造が提供され、テント用のヒンジ付きドアまたは窓が提供される。ポスト６０６を取り外し可能とすれば、ドアを外してテントを小さく折畳むことができる。
【００３７】
図１３に、一実施形態のヒンジ付きドアまたは窓に適用可能な他のヒンジ７００を示す。ヒンジ７００は、基部７０２および回転部７０４を有する。基部７０２および回転部７０４は、各々ポール７１０、７１４の端部を受けるソケット７０６、７０８をそれぞれ有する。基部７０２および回転部７０４は、リビングヒンジ部７１６により接続されている。ヒンジ全体を柔軟なプラスチック、たとえばウレタンにより形成してもよい。リビングヒンジ部７１６は、基部７０２および回転部７０４よりも薄く形成されることで、リビングヒンジとして機能する。必要に応じて、基部７０２は、テントの出入口または窓の開口の外側に縫い付けられる。同様に、回転部７０４は、テントのドアまたは窓に縫い付けられる。出入口およびドアフレーム用のポールを着脱自在に受けるためのポールポケットを備えてもよい。
【００３８】
同様のヒンジ７００が、ドアの下端に設けられる。これにより、二つのヒンジ７００により出入口が支持され、ドアフレームに対してヒンジにより開閉可能なドアが設けられる。代替的に、ヒンジ７００は、回転部７０４の一つのソケットのみに適用して、基部７０２を、テントに対して縫合、その他の方法により直接取り付けてもよい。
【００３９】
図１４に、さらに他の実施形態として、ヒンジ付きドアに適用可能なヒンジ８００を示す。ヒンジ８００は、互いに直角に位置決めされてポール８０６、８０８を受け入れるソケット８０２、８０４を有する。
【００４０】
ヒンジ８００は、可撓性を持たずヒンジ機能も持たないが、その代わりにポール８０６、８０８が互いに直角となるように保持する。そして、ポール８０８がスリーブ中に回転自在に受け入れられ、ヒンジ８００を両側に取り付けることにより、該スリーブ中に固定される。ポール８０６により、ドアの構造が提供されてもよい。これにより、ヒンジ８００により支持されたドアは、ポール８０８を中心に回転可能となり、ポール８０６により支持される。
【００４１】
図１５に、代替の実施形態に係るテントドアに使用可能なヒンジ８５０を示す。ヒンジ構造８５０は、テントのウォールに縫合され、または他の手段により取り付けられた、剛体または準剛体のリング８５２を有する。図示の実施形態では、リング８５２は、テントのウォールの布地に対して、破線８５４で示すように縫われている。
【００４２】
垂直ポール８５６が、二つのリング８５２の間に延在している。垂直ポール８５６は、石突き８５８を両端に備え、さらにフック８６０が石突き８５８に取り付けられている。フック８６０はリング８５２の周囲に係合し、垂直ポール８５６が二つのリング８５２に連結されることで、ヒンジ構造８５０が垂直に隔てられると共に、ヒンジ構造８５０が支持される。
【００４３】
ドアの外周を支持するために、Ｃ字状ポール８７０が設けられている。このＣ字状ポール８７０は石突き８７２を両端に備え、さらにフック８７４がこの石突き８７２に取り付けられている。フック８７４は、リング８５２に係合している。フック８７４に連結する部分のリング８５２断面が円形であるため、フック、そしてＣ字状ポール８７０が、ヒンジ構造８５０が取り付けられたテントの入口に対して相対的に回転する。
【００４４】
図１６に、テントドアまたは窓を支持するために使用可能なヒンジ構造９００の他の実施形態を示す。ヒンジ構造９００は、出入口の上部および下部にウェビング９０２を有する。各ウェビングは、グロメット９０４を有する。垂直ポール９０６は、グロメット中に伸長するピン９０８を有する。このピン９０８により、垂直ポール９０６が所定位置に固定されるため、この垂直ポール９０６によって出入口構造が提供される。
【００４５】
図示の実施形態では、ドアの外周縁を支持するためのＣ字状ドアポール９１０が設けられている。石突き９１２がＣ字状ドアポール９１０の両端に接続されている。柔軟性のあるＣ字状クリップ９１４が石突き９１２に接続している。これらＣ字状クリップ９１４は、垂直ポール９０６にクリップ止めされ、ポールの周囲を自在に回転する。これにより、ヒンジ構造９００に接続されたドアは、ヒンジにより開閉可能となる。代替実施形態として、Ｃ字状クリップ９１４を垂直ポール９０６に固定し、ドアがＣ字状ドアポール９１０とともに回転するようにしてもよい。
【００４６】
図１７に、さらに他の実施形態のテント９５０を示す。テント９５０は、出入口９５４を備えたドア９５２を有する。本実施形態においては、ドア９５２は、その外周縁にエアフレーム９５６を有する。エアフレーム９５６は、エアフレームを膨らますための弁９５８を有する。エアフレーム９５６は、たとえば圧縮空気を受け入れるように構成された空気袋からなる。膨張した状態で、エアフレームはデバイス（本実施形態ではドア９５２のフレーム）の構造として機能する。図示の実施形態では、エアフレーム９５６は、上述した実施形態のポールに置換されるものである。
【００４７】
同様に、それぞれバルブ９７０、９７２を持つ一対のエアフレーム９６０、９６２が出入口９５４を支持するために設けられる。図示の実施形態では、ドア９５２が出入口９５４を覆って閉じられると、ドアのエアフレーム９５６が、出入口９５４の二つのエアフレーム９６０、９６２の間に嵌め込まれる。図１７には、出入口９５４を支持するために二個のエアフレーム９６０、９６２を有しているが、一個あるいは複数のエアフレームを使用してもよい。同様に、ドア９５２は複数のエアフレームにより支持されていてもよい。
【００４８】
必要に応じて、他のドア、窓、その他の開口を構造的に支持するためにエアフレームを用いてもよい。図で示す周縁支持に加え、ドアに沿って中央部分でドアを支持してもよい。
【００４９】
他の実施形態において、ドアまたは窓のフレームを折畳み可能としてもよい。このような実施形態の場合、フレームをテントに恒久的に縫合し、フレームはテントとともに折畳むのに十分に柔軟である。この種のフレームは、折畳み可能な布製洗濯籠、折畳み布製帽子、および折畳み布製日よけなどによく使用されている。
【００５０】
その他の変形も可能である。たとえば、本明細書中で説明したポールおよび他の構造を窓に使用してもよい。これにより、窓をヒンジにより開いたり日よけとして使用したりすることができる。さらに、図１０に示すドア５０２と同様の、非常に大きいドアをテントの背面や側面に設けてもよい。この大きいドアはパティオまたは車両用カバーとして使用できる。これにより車両を風雨から保護したり、および／または車両からテントへ容易に荷下ろししたりすることができる。
【００５１】
ドア５０２は、ストラップ５１６以外の方法により支持されていてもよい。たとえば、ポールまたは他の構造を用いて支持してもよい。
【００５２】
本明細書で説明したドアの実施形態は、その使用時において、その周囲を、たとえばポールにより、完全に支持される。しかしながら、多くのドアの支持構造は除去可能であり、テントと共に畳んで小さく収納することができる。さらに、効率的な収納と運搬のため、ポール、その他のドア用支持構造を分解できるようにしてもよい。しかしながら、ドアの周囲を支持することにより、ドアの形が形成され、テントから外側へヒンジにより開けることが可能となる。
【００５３】
本発明のドアは、窓およびドア以外の閉鎖可能な開口、たとえばペット用ドア、ペットフラップ、テントまたはシェルタ用換気窓、天窓に適用することもできる。
【００５４】
その他の実施形態についても本発明の範囲内にある。すなわち、本発明は種々の修正および構造の変更が可能であるが、特定の実施形態についてのみ図示して、上記にその細部について記述してある。しかしながら、本発明を開示する形態には限定されるものではなく、特許請求の範囲で定義される本発明の範囲に包含されるすべての修正、構造の変更、および、均等の構成に本発明の範囲は及ぶものである。
【図面の簡単な説明】
【００５５】
【図１】一実施形態に係るテントの一部を示す斜視図である。
【図２】図１のテントのドアを分解して示す斜視図である。
【図３】図２のドア用のヒンジを示す斜視図である。
【図４】他の実施形態に係るテントの一部を示す斜視図である。
【図５】図４に示すテントのドア用ヒンジを示す斜視図である。
【図６】さらに他の実施形態に係るテントの一部を示す斜視図である。
【図７】図６に示すテントのドア用ヒンジを示す斜視図である。
【図８】さらに他の実施形態に係るテントを示す斜視図である。
【図９】さらに他の実施形態に係るテントを示す斜視図である。
【図１０】さらに他の実施形態に係るテントを示す斜視図である。
【図１１】図１０に示すテントについて、テントのドアが上げられて日除け位置にある状態を示す部分斜視図である。
【図１２】一実施形態に係るテントドアまたは窓に使用可能なヒンジを示す図である。
【図１３】他の実施形態に係るテントドアまたは窓に使用可能なヒンジを示す図である。
【図１４】さらに他の一実施形態に係るテントドアまたは窓に使用可能なヒンジを示す図である。
【図１５】さらに他の一実施形態に係るテントドアまたは窓に使用可能なヒンジを示す図である。
【図１６】さらに他の一実施形態に係るテントドアまたは窓に使用可能なヒンジを示す図である。
【図１７】さらに他の一実施形態に係るテントの一部を示す斜視図である。
【図１】
2009515068.tif 000003
【図２】
2009515068.tif 000004
【図３】
2009515068.tif 000005
【図４】
2009515068.tif 000006
【図５】
2009515068.tif 000007
【図６】
2009515068.tif 000008
【図７】
2009515068.tif 000009
【図８】
2009515068.tif 000010
【図９】
2009515068.tif 000011
【図１０】
2009515068.tif 000012
【図１１】
2009515068.tif 000013
【図１２】
2009515068.tif 000014
【図１３】
2009515068.tif 000015
【図１４】
2009515068.tif 000016
【図１５】
2009515068.tif 000017
【図１６】
2009515068.tif 000018
【図１７】
2009515068.tif 000019
【国際調査報告】
2009515068.tif 000020
2009515068.tif 000021
2009515068.tif 000022